(57)【特許請求の範囲】
【請求項１】
表示面の外縁の近傍に表示側傾斜面部を有する少なくとも二つの表示パネル部を有し、隣接する二つの前記表示パネル部の継ぎ目において互いの前記表示側傾斜面部が対向して、互いの前記表示側傾斜面部の間に隙間領域が形成されるよう、少なくとも二つの前記表示パネル部を並列に配置可能に構成される表示部と、
透光性を有する材料により、前記隙間領域において前記表示側傾斜面部を起点として、隣接する前記表示パネル部に向かって凸となるように構成される少なくとも一つの透光部と、
を備え、
前記表示側傾斜面部は、前記表示面の外縁に進むに従って、前記表示面側から前記表示面の反対面側に向かうように傾斜し、
前記透光部は、
前記隙間領域において、隣接する前記表示パネル部が並ぶ配列方向に進むに従って、前記表示パネル部の厚み方向の一方側から他方側に向かうように傾斜する透光側傾斜面と、
前記表示パネル部の観察者側を向く観察者側面と、
を有し、
前記配列方向に沿って前記表示パネル部の前記厚み方向に切った前記表示部及び前記透光部の断面を二つの前記表示パネル部の前記継ぎ目に沿う方向から断面視した時、
前記透光部は、前記表示側傾斜面部の一部領域から凸となる一部領域凸部分を有し、
前記一部領域凸部分において前記透光側傾斜面は、前記配列方向に沿って隣接する一方の前記表示パネル部から他方の前記表示パネル部へ進むに従って前記表示パネル部の前記厚み方向の前記観察者側に向かうように傾斜することを特徴とする、
表示装置。
【請求項２】
前記透光部は、前記表示パネル部毎に設けられ、
隣接する二つの前記表示パネル部それぞれに対応する二つの前記透光部は、前記隙間領域において前記配列方向に対向するように配置されることを特徴とする、
請求項１に記載の表示装置。
【請求項３】
前記透光部は、前記隙間領域において前記配列方向に一つ配置されることを特徴とする、
請求項１に記載の表示装置。
【請求項４】
前記表示パネル部の前記表示面は、前記表示パネル部の前記観察者側を向くと共に、前記表示側傾斜面部に連続する平面状の表示側平面部を有し、
前記観察者側面は、前記表示パネル部の前記厚み方向において前記表示パネル部の前記表示側平面部以下に位置することを特徴とする、
請求項１〜３のいずれかに記載の表示装置。
【請求項５】
表示面の外縁に進むに従って、前記表示面側から前記表示面の反対面側に向かうように傾斜する表示側傾斜面部を前記表示面の外縁の近傍に有する少なくとも二つの表示パネル部を有し、隣接する二つの前記表示パネル部の継ぎ目において互いの前記表示側傾斜面部が対向して、互いの前記表示側傾斜面部の間に隙間領域が形成されるよう、少なくとも二つの前記表示パネル部を並列に配置可能に構成される表示部を備えた表示装置に用いられる表示補助部材であって、
透光性を有する材料により、前記隙間領域において前記表示側傾斜面部を起点として、隣接する前記表示パネル部に向かって凸となるように構成される少なくとも一つの透光部を有し、
前記透光部は、
前記隙間領域において、隣接する前記表示パネル部が並ぶ配列方向に進むに従って、前記表示パネル部の厚み方向の一方側から他方側に向かうように傾斜する透光側傾斜面と、
前記表示パネル部の観察者側を向く観察者側面と、
を有し、
前記配列方向に沿って前記表示パネル部の前記厚み方向に切った前記表示部及び前記透光部の断面を二つの前記表示パネル部の前記継ぎ目に沿う方向から断面視した時、
前記透光部は、前記表示側傾斜面部の一部領域から凸となる一部領域凸部分を有し、
前記一部領域凸部分において前記透光側傾斜面は、前記配列方向に沿って隣接する一方の前記表示パネル部から他方の前記表示パネル部へ進むに従って前記表示パネル部の前記厚み方向の前記観察者側に向かうように傾斜することを特徴とする、
を特徴とする表示補助部材。
【発明の詳細な説明】
【技術分野】
【０００１】
本発明は、映像を表示する表示装置、及び、表示装置で用いられる表示補助部材に関する。
【背景技術】
【０００２】
近年、複数の表示パネルを並べたタイリングディスプレイについて様々な提案がなされている。例えば、隣接する表示パネルの継ぎ目を目立たなくさせるため、各表示パネルの表面に設けられるカバー体（板状部）の外縁近傍にレンズを担う傾斜面が設けられた表示装置が提案されている（例えば、特許文献１参照）。上記表示装置において傾斜面は、表示パネルの継ぎ目に位置し、表示パネルの外縁付近の映像を隣接する表示パネルの継ぎ目側にシフトする。結果、上記表示装置の観察者にとって、表示パネルの継ぎ目には、表示パネルの外縁付近の映像が表示されているように見える。
【先行技術文献】
【特許文献】
【０００３】
【特許文献１】特許第６６４９３１７号公報
【発明の概要】
【発明が解決しようとする課題】
【０００４】
上記表示装置では、表示パネルの表面よりも上方側にレンズを担う傾斜面が設けられている。このため、各表示パネルの表面に設けられるカバー体（板状部）の厚みを薄くしていくと、レンズ部分の厚みも同様に薄くなる。この場合、当然ながら、レンズによる映像シフト度合いも小さなものとなるため、表示パネルの継ぎ目に、シフトされた映像を表示させることが難しくなる。一方で、カバー体（板状部）の厚みを厚くすると、レンズ部分の厚みも同様に厚くなる。この場合、映像シフト度合いを十分な大きさにすることができるが、上記表示装置自体の厚みが厚くなる。
【０００５】
本発明は、斯かる実情に鑑み、隣接する表示パネルの継ぎ目における隙間領域を活用して、隣接する表示パネルの継ぎ目を目立たなくすることができる表示装置、及び、表示補助部材を提供しようとするものである。
【課題を解決するための手段】
【０００６】
本発明は上記課題を解決するために設けられたものであり、本発明の表示装置は、表示面の外縁の近傍に表示側傾斜面部を有する少なくとも二つの表示パネル部を有し、隣接する二つの前記表示パネル部の継ぎ目において互いの前記表示側傾斜面部が対向して、互いの前記表示側傾斜面部の間に隙間領域が形成されるよう、少なくとも二つの前記表示パネル部を並列に配置可能に構成される表示部と、透光性を有する材料により、前記隙間領域において前記表示側傾斜面部を起点として、隣接する前記表示パネル部に向かって凸となるように構成される少なくとも一つの透光部と、を備え、前記表示側傾斜面部は、前記表示面の外縁に進むに従って、前記表示面側から前記表示面の反対面側に向かうように傾斜し、前記透光部は、前記隙間領域において、隣接する前記表示パネル部が並ぶ配列方向に進むに従って、前記表示パネル部の厚み方向の一方側から他方側に向かうように傾斜する透光側傾斜面と、前記表示パネル部の観察者側を向く観察者側面と、を有し、前記配列方向に沿って前記表示パネル部の前記厚み方向に切った前記表示部及び前記透光部の断面を二つの前記表示パネル部の前記継ぎ目に沿う方向から断面視した時、前記透光部は、前記表示側傾斜面部の一部領域から凸となる一部領域凸部分を有し、前記一部領域凸部分において前記透光側傾斜面は、前記配列方向に沿って隣接する一方の前記表示パネル部から他方の前記表示パネル部へ進むに従って前記表示パネル部の前記厚み方向の前記観察者側に向かうように傾斜することを特徴とする。
【０００８】
また、本発明の表示装置において、前記配列方向に沿って前記表示パネル部の前記厚み方向に切った前記表示部及び前記透光部の断面を二つの前記表示パネル部の前記継ぎ目に沿う方向から断面視した時、前記透光部は、前記表示側傾斜面部の全領域から凸と全領域凸部分を有し、前記全領域凸部分において前記透光側傾斜面は、前記配列方向に沿って隣接する一方の前記表示パネル部から他方の前記表示パネル部へ進むに従って前記表示パネル部の前記厚み方向の前記観察者側に向かうように傾斜することを特徴とする
【０００９】
また、本発明の表示装置において、前記透光部は、前記表示パネル部毎に設けられ、隣接する二つの前記表示パネル部それぞれに対応する二つの前記透光部は、前記隙間領域において前記配列方向に対向するように配置されることを特徴とする。
【００１０】
また、本発明の表示装置において、前記透光部は、前記隙間領域において前記配列方向に一つ配置されることを特徴とする。
【００１１】
また、本発明の表示装置において、前記表示パネル部の前記表示面は、前記表示パネル部の前記観察者側を向くと共に、前記表示側傾斜面部に連続する平面状の表示側平面部を有し、前記観察者側面は、前記表示パネル部の前記厚み方向において前記表示パネル部の前記表示側平面部以下に位置することを特徴とする。
【００１２】
また、本発明の表示補助部材は、表示面の外縁に進むに従って、前記表示面側から前記表示面の反対面側に向かうように傾斜する表示側傾斜面部を前記表示面の外縁の近傍に有する少なくとも二つの表示パネル部を有し、隣接する二つの前記表示パネル部の継ぎ目において互いの前記表示側傾斜面部が対向して、互いの前記表示側傾斜面部の間に隙間領域が形成されるよう、少なくとも二つの前記表示パネル部を並列に配置可能に構成される表示部を備えた表示装置に用いられる表示補助部材であって、透光性を有する材料により、前記隙間領域において前記表示側傾斜面部を起点として、隣接する前記表示パネル部に向かって凸となるように構成される少なくとも一つの透光部を有し、前記透光部は、前記隙間領域において、隣接する前記表示パネル部が並ぶ配列方向に進むに従って、前記表示パネル部の厚み方向の一方側から他方側に向かうように傾斜する透光側傾斜面と、前記表示パネル部の観察者側を向く観察者側面と、を有し、前記配列方向に沿って前記表示パネル部の前記厚み方向に切った前記表示部及び前記透光部の断面を二つの前記表示パネル部の前記継ぎ目に沿う方向から断面視した時、前記透光部は、前記表示側傾斜面部の一部領域から凸となる一部領域凸部分を有し、前記一部領域凸部分において前記透光側傾斜面は、前記配列方向に沿って隣接する一方の前記表示パネル部から他方の前記表示パネル部へ進むに従って前記表示パネル部の前記厚み方向の前記観察者側に向かうように傾斜することを特徴とする。
【発明の効果】
【００１３】
本発明の表示装置、及び表示補助部材によれば、隣接する表示パネルの継ぎ目における隙間領域を活用して、隣接する表示パネルの継ぎ目を目立たなくすることができるという優れた効果を奏し得る。
【図面の簡単な説明】
【００１４】
【図１】（Ａ）は、本発明の第一実施形態における表示装置を分解した斜視図である。（Ｂ）は、本発明の第一実施形態における表示装置の斜視図である。
【図２】（Ａ）は、本発明の第一実施形態における表示装置を表示パネル部の配列方向に沿って表示パネル部の厚み方向に切った断面図である。（Ｂ）は、（Ａ）の透光部付近を拡大した拡大図である。
【図３】（Ａ）〜（Ｃ）は、本発明の第一実施形態における表示装置の変形例を表示パネル部の配列方向に沿って表示パネル部の厚み方向に切った断面図である。
【図４】（Ａ），（Ｂ）は、本発明の第一実施形態における表示装置の変形例を表示パネル部の配列方向に沿って表示パネル部の厚み方向に切った断面図である。
【図５】（Ａ）は、本発明の第二実施形態における表示装置を分解した斜視図である。（Ｂ）は、本発明の第二実施形態における表示装置の斜視図である。
【図６】本発明の第二実施形態における表示装置を表示パネル部の配列方向に沿って表示パネル部の厚み方向に切った断面図である。
【図７】（Ａ）は、本発明の第三実施形態における表示装置を分解した斜視図である。（Ｂ）は、本発明の第三実施形態における表示装置の斜視図である。
【図８】本発明の第三実施形態における表示装置を表示パネル部の配列方向に沿って表示パネル部の厚み方向に切った断面図である。
【図９】（Ａ）〜（Ｃ）は、本発明の第三実施形態における表示装置の変形例を表示パネル部の配列方向に沿って表示パネル部の厚み方向に切った断面図である。
【発明を実施するための形態】
【００１５】
以下、本発明の実施の形態について添付図面を参照して説明する。図１〜図８は発明を実施する形態の一例であって、図中、図１と同一の符号を付した部分は同一物を表わし、基本的な構成は図１に示す従来のものと同様である。
【００１６】
＜第一実施形態＞
本発明の第一実施形態における表示装置１は、表示部２と、透光部３と、表示部２（表示パネル部２０）の制御を行う（図示しない）制御部と、を備える。
【００１７】
＜表示部＞
表示部２は、図１（Ａ），（Ｂ）に示すように、少なくとも２つの表示パネル部２０を有する。表示パネル部２０は、制御部の制御の下、映像を表示する。表示パネル部２０として、例えば、液晶パネルや、有機ＥＬ（ＥｌｅｃｔｒｏＬｕｍｉｎｅｓｃｅｎｃｅ）パネル等が挙げられる。そして、表示パネル部２０は、表示本体部２０Ａと、表示本体部２０Ａの表面に設けられる板状のカバー部２１と、を有する。表示本体部２０Ａは、映像を表示するものである。例えば、液晶パネルの場合、表示本体部２０Ａは、カラーフィルタ、液晶層、偏光板、及び駆動回路等により構成される。例えば、有機ＥＬパネルの場合、表示本体部２０Ａは、有機ＥＬ層、ガラス基板、及び駆動回路等により構成される。カバー部２１は、表示本体部２０Ａの表面をカバーするものである。そして、カバー部２１は、透光性を有する透光性材料により板状に形成される。透光性材料として、例えば、透明な樹脂又はガラスが挙げられる。また、カバー部２１は、全体的に同じ板厚であってもよいし、場所に応じて異なる板厚を有してもよい。表示パネル部２０の形状は、表示面２４に対向する側から平面視した際、四角形状となることが想定されるが、これに限定されるものではなく、その他の形状であってもよい。
【００１８】
表示パネル部２０は、表示領域２２と、非表示領域２３とを備える。表示領域２２では、表示面２４を通じて映像が表示される。表示面２４は、カバー部２１の表面に相当する。非表示領域２３には映像が表示されない。また、非表示領域２３は、表示領域２２に隣接する。具体的に非表示領域２３は、以下で説明する表示側傾斜面部２６に隣接する位置に設けられる。そして、非表示領域２３には、例えば、表示パネル部２０の額縁（ベゼル）が設けられる。
【００１９】
また、表示パネル部２０（カバー部２１）の表示面２４は、図１（Ａ）に示すように、表示側平面部２５と、表示側傾斜面部２６と、を有する。表示側平面部２５は、表示面２４の大部分を占める平面部分である。表示側傾斜面部２６は、表示面２４の外縁の少なくとも一部を構成する。そして、表示側傾斜面部２６は、表示側平面部２５に連続しており、表示面２４の外縁２４Ａ近傍において当該外縁２４Ａに沿う帯状領域に設けられる。そして、表示側傾斜面部２６は、表示面２４の外縁２４Ａに進むに従って、表示側平面部２５から表示側平面部２５とは反対側の反対面２７（表示パネル部２０の裏側面）に向かうように傾斜する。具体的に表示側傾斜面部２６は、表示側平面部２５との境界Ｆを起点として、表示側平面部２５に沿って表示側平面部２５の外側に進むに従って表示パネル部２０の厚み方向Ｂにおいて、表示側平面部２５とは反対側の反対面２７（表示パネル部２０の裏側面）に向かうように傾斜する。なお、以下において、表示パネル部２０の厚み方向Ｂを表示パネル厚み方向Ｂと呼ぶ。
【００２０】
２つの表示パネル部２０は、図１（Ｂ）に示すように、（図示しない）表示パネル部移動機構により移動させて、それぞれの非表示領域２３が隣接して対向するように並列に配置される。結果、表示パネル部２０の継ぎ目Ｇにおいて、表示パネル部２０の配列方向Ａに表示側傾斜面部２６が対向する。そして、互いの表示側傾斜面部２６の間には、隙間領域２８が形成される。隙間領域２８は、図２（Ａ）の点線で囲まれた領域に示すように、透光部３が無いと仮定した場合における、仮想表示側傾斜面部２６Ｃ（点線部分参照）を含む表示側傾斜面部２６と、非表示領域２３の表面２３Ａと、表示側平面部２５を仮想的に延長した仮想延長面部２５Ａと、で囲まれた領域を指す。なお、以下において、表示パネル部２０の配列方向Ａを表示パネル配列方向Ａと呼ぶ。
【００２１】
以上のように構成される表示部２において、隣接する２つの表示パネル部２０において、一方側の表示領域２２では、一続きの映像の一方側が表示され、他方側の表示領域２２では、一続きの映像の他方側が表示されることがある。当然ながら、隣接する表示パネル部２０に対応する表示領域２２の間に非表示領域２３が位置するため、一続きの映像が隔離された状態で表示される。この隔離された一続きの映像が繋がって、一つの連続映像として見えるように、表示補助部材として後述する透光部３は機能する。
【００２２】
＜透光部＞
透光部３は、透光性を有する透光性材料により構成される。透光性材料として、例えば、透明な樹脂又はガラスが挙げられる。本実施形態において透光部３は、図１（Ａ），（Ｂ）に示すように、表示パネル部２０毎に設けられる。そして、本実施形態において透光部３は、カバー部２１と一体形成される。
【００２３】
各透光部３は、図１（Ｂ）及び図２（Ａ）に示すように、隙間領域２８において表示側傾斜面部２６を起点として、隣接する表示パネル部２０に向かって凸となるように構成される。本実施形態において透光部３は、表示側傾斜面部２６の一部領域２６Ａから凸となる一部領域凸部分を有するよう構成される。そして、本実施形態において隣接する表示パネル部２０それぞれに対応する２つの透光部３は、隙間領域２８において並列に隣接し、表示パネル配列方向Ａにおいて対向する。
【００２４】
透光部３は、図２（Ａ），（Ｂ）に示すように、表示パネル配列方向Ａに沿って隣接する表示パネル部２０側に進むに従って表示パネル厚み方向Ｂにおける断面幅が小さくなる区間を有するように構成される。この区間の一端は、透光部３の凸方向（表示パネル配列方向Ａ）の先端となる。このような透光部３は、連続部４０と、観察者側面４１と、反観察者側面４２と、を有する。連続部４０は、表示側傾斜面部２６（カバー部２１）の一部領域２６Ａに連続する透光部３の一部分である。表示パネル配列方向Ａに沿って表示パネル厚み方向Ｂに切った表示装置１の断面を二つの表示パネル部２０の継ぎ目に沿う継ぎ目延在方向Ｃから断面視した時、図２（Ａ）に示すように、本実施形態における連続部４０は、表示側傾斜面部２６の一部領域２６Ａに連続する。本実施形態における表示側傾斜面部２６の一部領域２６Ａは、表示側傾斜面部２６と表示側平面部２５との境界Ｋを起点として、表示側傾斜面部２６の途中まで延在する領域となる。なお、本実施形態において透光部３は、カバー部２１と一体形成されているため、透光部３とカバー部２１とは分離できないが、＜第二実施形態＞において後述するが両者は分離可能な別部材として構成されてもよい。この場合、両者は、接触して分離可能に連続する。
【００２５】
ここで、以下の説明の便宜のため、表示パネル部２０の表示側平面部２５の面垂直方向Ｈから観察者１００が表示装置１を見る際の位置関係を基準とした場合、上記面垂直方向Ｈにおいて表示装置１から観察者１００に向かう側を観察者側と定義し、観察者１００から表示装置１に向かう側、つまり、観察者側とは反対側を反観察者側と定義する。また、以下において、表示パネル部２０の表示側平面部２５の面垂直方向Ｈを、表示面垂直方向Ｈと呼ぶ。なお、本実施形態において表示面垂直方向Ｈは、表示パネル厚み方向Ｂと平行となるため、表示パネル厚み方向Ｂにおいても、同様に、観察者側、反観察者側が適用される。そして、表示面垂直方向Ｈを適宜、表示パネル厚み方向Ｂと読み替えてもよい。
【００２６】
観察者側面４１は、表示面垂直方向Ｈにおいて観察者側を向いて、観察者１００に対向する面である。そして、本実施形態において観察者側面４１は、表示面２４の表示側傾斜面部２６と表示側平面部２５との境界Ｋを起点として、自身に対応する表示パネル部２０に隣接する表示パネル部２０（透光部３）に向かって延在する。
【００２７】
本実施形態において観察者側面４１は、図２（Ａ）に示すように、平行面部４１０と、傾斜面部４１１と、を有する。平行面部４１０は、表示面２４の表示側平面部２５に連続して、表示側平面部２５に平行に、自身に対応する表示パネル部２０に隣接する表示パネル部２０（透光部３）に向かって延在する。結果、平行面部４１０は、表示面２４の表示側平面部２５と同一平面となる。なお、平行面部４１０は、表示面２４の表示側平面部２５よりも表示パネル厚み方向Ｂの反観察者側に位置してもよい。つまり、観察者側面４１は、表示パネル厚み方向Ｂにおいて表示面２４の表示側平面部２５と同位置か、又は、表示面２４の表示側平面部２５よりも反観察者側に位置してもよい。
【００２８】
傾斜面部４１１は、平行面部４１０に連続すると共に、表示面２４の表示側平面部２５に対して傾斜する曲面により構成される。本実施形態において隣接する２つの観察者側面４１の傾斜面部４１１は、図２（Ａ）に示すように、表示パネル配列方向Ａに沿って、対応する表示パネル部２０から隣接する表示パネル部２０に進むに従って、表示パネル厚み方向Ｂの反観察者側に向かうように傾斜する。
【００２９】
反観察者側面４２は、表示面垂直方向Ｈにおいて反観察者側を向く。そして、反観察者側面４２は、表示面垂直方向Ｈにおいて観察者１００から遠位な連続部４０の端縁４０Ａを起点として、自身に対応する表示パネル部２０に隣接する表示パネル部２０（透光部３）に向かって延在する。本実施形態において隣接する２つの反観察者側面４２は、図２（Ａ）に示すように、表示パネル配列方向Ａに沿って、対応する表示パネル部２０から隣接する表示パネル部２０に進むに従って、表示パネル厚み方向Ｂ（表示面垂直方向Ｈ）の観察者側に向かうように傾斜する。また、本実施形態において反観察者側面４２は、外側に凸となる凸曲面により構成されるが、これに限定されるものではなく、内側に凹む凹曲面、又は平面により構成されてもよい。また、反観察者側面４２は、図２（Ａ），（Ｂ）に示すように、表示パネル厚み方向Ｂ（表示面垂直方向Ｈ）において、非表示領域２３と対向する部分を有する。これにより、観察者１００に対して非表示領域２３の少なくとも一部を隠すことができる。
【００３０】
観察者側面４１の傾斜面部４１１、及び反観察者側面４２の少なくとも一部は、上記説明したように傾斜しており、透光部３における傾斜面（以下、適宜、透光側傾斜面と呼ぶ。）として、自身に対応する一方の表示側傾斜面部２６で表示される映像からの光を屈折、又は、反射させることにより、当該映像を隣接する他方の表示側傾斜面部２６（非表示領域２３）側にシフトすることができる。特に、透光側傾斜面に凸曲面が含まれると、透光側傾斜面は、拡大シフトさせるレンズを担う。つまり、観察者１００が透光部３に対向する位置で、表示面垂直方向Ｈに観察者側面４１を見ると、表示側傾斜面部２６で表示される映像が隣接する他方の表示側傾斜面部２６側にシフトされたように見える。なお、シフトの度合いがごくわずかであると、表示面垂直方向Ｈから表示面２４を観察者１００が平面視した時、表示側傾斜面部２６で表示される映像が、シフトされずに、そのまま表示面垂直方向Ｈに浮き上がって観察者側面４１に表示されたように見えることもある。
【００３１】
また、透光側傾斜面は、少なくとも一部が隙間領域２８に配置されるが、特に、透光側傾斜面は、全体が隙間領域２８に配置されることが好ましい。更に、反観察者側面４２を担う透光側傾斜面は、連続部４０（端縁４０Ａ）よりも表示パネル厚み方向Ｂの反観察者側における表示側傾斜面部２６の領域、又は、非表示領域２３と、表示パネル厚み方向Ｂにおいて対向する部分を有することが好ましい。
【００３２】
また、本実施形態において隣接する２つの透光部３は、図２（Ｂ）に示すように、表示面垂直方向Ｈ（表示パネル厚み方向Ｂ）から見て、それぞれが互いに重なり合う重なり合い領域２９を有する。このため、一方側の透光部３の観察者側面４１は、他方側の透光部３の反観察者側面４２よりも下側に入り込むように延びる。この時、一方側の透光部３の観察者側面４１の一部４１Ａは、他方側の透光部３の反観察者側面４２の一部４２Ａよりも表示パネル厚み方向Ｂの反観察者側に位置して、他方側の透光部３の反観察者側面４２の一部４２Ａと対向する。これにより、透光部３よりも表示パネル厚み方向Ｂの反観察者側を観察者１００から見えないようにすることができる。なお、隣接する２つの透光部３は、当然ながら接触しない方が好ましい。透光部３が破損するのを防止するためである。
【００３３】
また、重なり合い領域２９は、図２（Ｂ）に示すように、表示面垂直方向Ｈ（表示パネル厚み方向Ｂ）から見て、非表示領域２３とも重なり合う。つまり、表示面垂直方向Ｈ（表示パネル厚み方向Ｂ）から見て、反観察者側面４２は、非表示領域２３と重なり合う部分を有する。これにより、表示面垂直方向Ｈ（表示パネル厚み方向Ｂ）から見て、隣接する２つの透光部３の間から、２つの非表示領域２３は見えなくなる。さらに、重なり合い領域２９は、表示面垂直方向Ｈ（表示パネル厚み方向Ｂ）から見て、隣接する非表示領域２３の境界２３Ｂを跨ぐ。なお、重なり合い領域２９は、境界２３Ｂを跨がないように構成されてもよい。
【００３４】
＜透光部の変形例＞
透光部３は、図３及び図４に示すように、観察者側面４１及び反観察者側面４２が曲面、又は、平面、又は、曲面及び平面が混在する面により、上記説明したものとは、別の態様で構成されてもよい。なお、この場合でも、透光部３は、表示パネル配列方向Ａに沿って隣接する表示パネル部２０側に進むに従って表示パネル厚み方向Ｂにおける断面幅が小さくなる区間を有するように構成される。この区間の一端は、透光部３の凸方向（表示パネル配列方向Ａ）の先端となる。
【００３５】
上記透光部３では、図２（Ａ），（Ｂ）に示すように、観察者側面４１は、平面（平行面部４１０）と、凸曲面状の曲面（傾斜面部４１１）とにより構成されていたが、例えば、図３（Ａ）の左側の透光部３及び図３（Ｂ），（Ｃ）の左右両側の透光部３に示すように、観察者側面４１は、表示パネル部２０の表示面２４の表示側平面部２５に連続する平行面部４１０のみで構成されてもよい。また、図４（Ａ）の左右両側の透光部３に示すように、観察者側面４１は、表示パネル部２０の表示面２４の表示側平面部２５に連続する傾斜面部４１１のみで構成されてもよい。また、図３（Ａ）の右側の透光部３、及び図３（Ｃ）の右側の透光部３に示すように、観察者側面４１は、表示パネル部２０の表示面２４の表示側平面部２５に連続する平行面部４１０と、平行面部４１０に連続する平面状の傾斜面部４１１と、により構成されてもよい。なお、図３（Ａ）の右側の透光部３、及び図３（Ｃ）の右側の透光部３に示す観察者側面４１の傾斜面部４１１は、表示パネル配列方向Ａに沿って対応する表示パネル部２０から隣接する表示パネル部２０に進むに従って、表示パネル厚み方向Ｂの反観察者側に向かうように傾斜する。透光部３におけるこのような傾斜面部４１１も本発明の範囲に含まれる。なお、図４（Ｂ）の左右両側の透光部３は、図２（Ａ），（Ｂ）に示す透光部３と同様に、平面（平行面部４１０）と、凸曲面状の傾斜面（凸曲面状の傾斜面部４１１）とにより構成されている。
【００３６】
また、上記では、図２（Ａ），（Ｂ）に示すように、反観察者側面４２は、連続部４０に連続する凸曲面状の傾斜面で構成されていたが、例えば、図３（Ａ）の左右両側の透光部３に示すように、反観察者側面４２は、連続部４０に連続する平面状の傾斜面（傾斜面部４２１）のみで構成されてもよい。また、図３（Ｃ）の右側の透光部３に示すように、反観察者側面４２は、連続部４０に連続すると共に、対応する表示パネル部２０から隣接する表示パネル部２０に向かって、表示パネル部２０の表示面２４の表示側平面部２５に平行に延在する平面（平行面部４２０）のみで構成されてもよい。また、図３（Ｂ）の左右両側の透光部３、図３（Ｃ）の左側の透光部３、及び図４（Ａ）の左右両側の透光部３に示すように、反観察者側面４２は、連続部４０に連続して、対応する表示パネル部２０から隣接する表示パネル部２０に向かって、表示パネル部２０の表示面２４の表示側平面部２５に平行に延在する平面（平行面部４２０）と、その平面に連続する平面状又は凸曲面状の傾斜面（傾斜面部４２１）と、により構成されてもよい。また、図４（Ｂ）の左右両側の透光部３に示すように、反観察者側面４２は、連続部４０に連続する平面状の平面状傾斜面（平面状傾斜面部４２１Ａ）と、平面状傾斜面（平面状傾斜面部４２１Ａ）に連続する凹曲面状の凹曲面状傾斜面（凹曲面状傾斜面部４２１Ｂ）と、により構成されていてもよい。なお、以上において凸曲面は、透光部３の外側に向かって凸となる曲面であり、凹曲面は、透光部３の内側に向かって凹む曲面である。ちなみに、図４（Ｂ）に示す左右両側の透光部３は、透光部３の凸方向（表示パネル配列方向Ａ）の先端を含む区間に、観察者側（一方面側）が凸曲面状の傾斜面となり、反観察者側（一方面の反対にある反対面側）が、透光部３の先端で凸曲面状の傾斜面と交差する凹曲面状の傾斜面となるレンズ３１を有する。そのレンズによれば、パララックス（視差）が少なくなり、且つ、先端に行くほど拡大倍率を大きくしつつ、レンズの厚みを薄くすることができる。
【００３７】
そして、図３（Ａ），（Ｃ）及び図４（Ｂ）に示す隣接する２つの透光部３は、それぞれが互いに重なり合う重なり合い領域２９を有する。なお、重なり合い領域２９を有する場合、隣接する２つの透光部３は、当然ながら接触しない方が好ましい。一方、図３（Ｂ）及び図４（Ａ）に示す隣接する２つの透光部３は、それぞれが互いに重なり合う重なり合い領域２９を有しない。このような態様も本発明の範囲に含まれる。なお、重なり合い領域２９を有しない場合、隣接する２つの透光部３は、非表示領域２３を隠せるように先端において接触するように構成してもよいが、破損の危険を低減する観点から、接触しないように構成してもよい。。
【００３８】
さらに、以上の観察者側面４１及び反観察者側面４２を組み合わせたもの全ての透光部３が本発明の範囲に含まれる。そして、透光部３は、自身に対応する表示側傾斜面部２６に表示される映像を観察者側面４１に浮き上がるように移動させる。この時、透光側傾斜面は、一方の表示側傾斜面部２６の一部に表示される映像を、他方の表示側傾斜面部２６側（非表示領域２３側）にシフトする。シフト距離の度合いは、表示側傾斜面部２６と透光側傾斜面の位置関係、相対的な傾斜角、大きさ等により様々である。このとき、透光部３の透光側傾斜面の態様により透光部３は、映像の少なくとも一部を拡大シフトして、観察者側面４１に浮き上がるように移動させる凸レンズとして構成されたり、単に映像の少なくとも一部をシフトして、観察者側面４１に浮き上がるように移動させるプリズムとして構成されたり、映像の少なくとも一部をほとんどシフトさせず、観察者側面４１に浮き上がるように移動させる部材として構成されたりする。これにより、表示面垂直方向Ｈ（表示パネル厚み方向Ｂ）から見て観察者１００にとって見えづらい表示側傾斜面部２６に表示される映像を、非表示領域２３に相当する、隣接する二つの表示パネル部２０の継ぎ目において観察者１００が見えることができるように変換することができる。
【００３９】
特に、透光部３が凸レンズ又はプリズムとして機能する場合、一方側の透光部３は、対応する表示側傾斜面部２６に表示される一続きの映像の一方側を、他方の表示側傾斜面部２６側（非表示領域２３側）にシフトさせることができる。また、他方側の透光部３は、対応する表示側傾斜面部２６に表示される一続きの映像の他方側を、一方の表示側傾斜面部２６側（非表示領域２３側）にシフトさせることができる。これにより、非表示領域２３によって隔離された一続きの映像が、透光部３により非表示領域２３にシフトされることにより、繋がった連続映像として観察者１００に対して表示することができる。
【００４０】
なお、図２（Ａ），（Ｂ）、図３（Ａ）〜（Ｃ）及び図４（Ａ），（Ｂ）に示すように、表示面垂直方向Ｈ（表示パネル厚み方向Ｂ）において、観察者側面４１は、表示パネル部２０の表示面２４の表示側平面部２５と同じ位置か、又は、表示パネル部２０の表示面２４の表示側平面部２５よりも反観察者側に位置することが好ましい。結果、透光部３は、表示パネル部２０の表示面２４の表示側平面部２５から観察者側に突出する部分を有しない。しかしながら、以上に限定されるものではなく、観察者側面４１は、表示パネル部２０の表示面２４の表示側平面部２５よりも観察者側に位置してもよい。この場合、透光部３は、表示パネル部２０の表示面２４の表示側平面部２５から観察者側に突出する部分を有するが、その突出する部分を最小限にすることが好ましい。このように透光部３を構成すれば、観察者１００にとって、表示部２の隙間領域２８に表示領域２２が延長されたものとして認識されて、非表示領域２３が小さくなるか、又は、無くなる。結果、観察者１００にとって、２つの表示パネル部２０の継ぎ目がほとんど目立たなくなり、表示部２があたかも１つの表示パネル部２０で構成されたように見せることができる。
【００４１】
＜第二実施形態＞
本発明の第二実施形態における表示装置１は、図５（Ａ），（Ｂ）に示すように、第一実施形態の場合と同様に、表示部２と、透光部３と、（図示しない）制御部と、を備える。本実施形態において第一実施形態と異なるのは、カバー部２１と、透光部３と、が別部材として構成されている点である。
【００４２】
本実施形態における透光部３は、表示パネル部２０（カバー部２１）の表示側傾斜面部２６上に載置される。そして、本実施形態における透光部３の連続部４０は、図６に示すように、表示側傾斜面部２６の一部領域２６Ａに沿った形状をしており、連続面４０Ｂとして構成される。このため、表示側傾斜面部２６上に載置に透光部３を載置すると、連続面４０Ｂ（連続部４０）は、表示側傾斜面部２６の一部領域２６Ａ全体に接触して、表示側傾斜面部２６の一部領域２６Ａに連続する。しかし、これに限定されるものではなく、連続面４０Ｂ（連続部４０）は、表示側傾斜面部２６の一部領域２６Ａの更に一部に接触し、その他の部分では、接触せずに、連続面４０Ｂ（連続部４０）と表示側傾斜面部２６の一部領域２６Ａとの間に隙間が形成されてもよい。
【００４３】
また、本実施形態において隣接する２つの透光部３は、図６に示すように、重なり合い領域２９を有するような相対姿勢及び相対位置にある状態で連結部４４により連結されてもよい。連結部４４は、例えば、板状、又は棒状等の連結体と、２つの透光部３と連結体とを固定する固定部（例えば、ネジ、接着剤、熱融着）とにより構成される。そして、連結体と隣接する２つの透光部３とが連結される連結位置は、図５（Ａ）に示すように、隣接する２つの透光部３の長手方向の端部、又は、その近傍が好ましい。このように構成されれば、隣接する２つの透光部３は、第一実施形態における場合と同様に、隣接する表示パネル部２０間の隙間領域２８で保持される。なお、連結体が２つの透光部３に固定される位置は、上記に限定されるものではなく、いずれの位置であってもよい。
【００４４】
本実施形態では、透光部３は、カバー部２１と別部材である。このため、隣接する表示パネル部２０間に隙間領域２８があるような表示装置１に対して、隙間領域２８に透光部３を設置するだけで、第一実施形態で説明したような効果を得ることができる。
【００４５】
また、本実施形態においても、第一実施形態と同様に、＜透光部の変形例＞で説明したような透光部３を適用することができる。そのようなものも本発明の範囲に含まれる。
【００４６】
＜第三実施形態＞
本発明の第三実施形態における表示装置１は、第一、二実施形態の場合と同様に、表示部２と、透光部３と、（図示しない）制御部と、を備える。第二実施形態では透光部３は、隣接する２つの表示パネル部２０それぞれに設けられて、結果として、表示パネル配列方向Ａにおいて２つ設けられた。本実施形態では、図７（Ａ），（Ｂ）に示すように、隣接する２つの表示パネル部２０の間に設けられる透光部３が、表示パネル配列方向Ａにおいて１つである。なお、透光部３は、継ぎ目延在方向Ｃにおいて、複数配置されていてもよい。
【００４７】
そして、本実施形態の透光部３は、図８に示すように、第一、二施形態における一方側の表示パネル部２０に対応する透光部３を表示パネル配列方向Ａに沿って、他方側の表示パネル部２０に向かって延長した態様である。そして、観察者側面４１（平行面部４１０）に対して反観察者側面４２は、傾斜角αを有するように傾斜している。本実施形態の透光部３は、表示面垂直方向Ｈ（表示パネル厚み方向Ｂ）から見て、他方側の表示パネル部２０の表示側傾斜面部２６と重なり合う位置まで延在することが好ましい。観察者１００に対して非表示領域２３の少なくとも一部を隠すためである。この場合、透光部３は、表示面垂直方向Ｈ（表示パネル厚み方向Ｂ）において他方側の表示パネル部２０の表示側傾斜面部２６と対向する部分を有する。また、本実施形態において透光部３は、カバー部２１とは別個の部材として設けられているが、これに限定されるものではなく、カバー部２１と一体形成されていてもよい。
【００４８】
なお、図９（Ａ）〜（Ｃ）に示すように、反観察者側面４２は、様々な傾斜を有するものが想定される。他方側の表示パネル部２０の表示側傾斜面部２６と重なり合う位置まで延在する平行面部４１０から成る観察者側面４１を基準として、傾斜角αを有する反観察者側面４２を仮想的に仮想反観察者側面４２Ｂと定義した場合、図９（Ａ）に示すように、反観察者側面４２は、傾斜角αよりも小さな傾斜角θ１を有するものであってもよい。また、図９（Ｂ）に示すように、反観察者側面４２は、傾斜角αよりも大きな傾斜角θ２を有するものであってもよい。さらに、図９（Ｃ）に示すように、反観察者側面４２は、傾斜角θ２よりも大きな傾斜角θ３を有するものであってもよい。
【００４９】
以上のように、反観察者側面４２が傾斜角θ１，θ２を有する場合、透光部３は、図９（Ａ），（Ｂ）に示すように、表示側傾斜面部２６の一部領域２６Ａを起点として凸となる。また、反観察者側面４２が傾斜角θ３を有する場合、透光部３は、図９（Ｃ）に示すように、表示側傾斜面部２６の全領域を起点として凸となる。なお、この部分を、一部領域凸部分に対して全領域凸部分と呼ぶ。
【００５０】
ところで、表示側傾斜面部２６に表示される映像側からの光は、屈折率の異なる透光部３への入射角に応じて屈折、又は、反射、又は、そのまま直進して、観察者側に伝搬する。このとき、観察者側面４１を通過して表示面垂直方向Ｈに進む光が観察者１００に映像として認識される。図９（Ａ），（Ｂ）に示すように、例えば、表示側傾斜面部２６の一部領域２６Ａ以外の残領域２６Ｂが存在する場合、残領域２６Ｂと透光部３との間には、空間が存在する。そして、残領域２６Ｂからの光は、空間を通じて透光部３の外側から透光側傾斜面（反観察者側面４２）に入射して、屈折して観察者側に伝搬する。このとき、観察者側面４１を通過して表示面垂直方向Ｈに進むものが観察者１００に映像として認識される。また、表示側傾斜面部２６の一部領域２６Ａからの光は、透光部３の内側から透光側傾斜面（反観察者側面４２）で反射されて、観察者側面４１を通過して表示面垂直方向Ｈに進むか、又は、そのまま観察者側面４１に向かって観察者側面４１を直進により通過して表示面垂直方向Ｈに進む。なお、表示側傾斜面部２６の一部領域２６Ａからの光が反射され、観察者側面４１を通過して表示面垂直方向Ｈに進む場合、それに対応する表示側傾斜面部２６の一部領域２６Ａに表示される映像は、反転された反転映像として観察者１００に認識される。また、図９（Ｃ）に示すように、例えば、表示側傾斜面部２６の全領域が透光部３の起点になる場合、表示側傾斜面部２６の全領域からの光は、透光部３の内側から透光側傾斜面（反観察者側面４２）で反射されて、観察者側面４１を通過して表示面垂直方向Ｈに進むか、又は、そのまま観察者側面４１に向かって観察者側面４１を直進により通過して表示面垂直方向Ｈに進む。
【００５１】
表示側傾斜面部２６に表示される全映像が観察者１００にとって観察者側面４１に表示されているように見えるようにするには、表示側傾斜面部２６に表示される全映像に対応する光が表示面垂直方向Ｈに観察者側面４１を通過するよう透光部３を構成すればよい。透光部３は、透光部３の凸起点が表示側傾斜面部２６の一部領域２６Ａとなるもの、又は、透光部３の凸起点が表示側傾斜面部２６の全領域となるものがあるが、いずれの場合でも、表示側傾斜面部２６の傾斜角及び大きさ等と、観察者側面４１（平行面部４１０）に対する透光側傾斜面（反観察者側面４２）の傾斜角及び大きさ等と、の相関関係を考慮して態様が決定される。以上のことは、＜第一実施形態＞及び＜第二実施形態＞ついても同様である。
【００５２】
なお、観察者側面４１に反転映像が表示される場合、図９（Ｃ）に示すように、表示部２（表示パネル部２０）の制御を行う制御部５には、反転映像に対応する元映像部分を、当初から反転映像にして表示側傾斜面部２６に表示させる反転部５０が設けられるようにしてもよい。これにより、表示面垂直方向Ｈから見る観察者１００にとって、観察者側面４１には、元映像が表示されているように見える。なお、反観察者側面４２に所定の材料（例えば、アルミ）を塗布又は蒸着して、反観察者側面４２から隣接する表示パネル部２０側に光が通過しないようにしてもよい。
【００５３】
なお、以上の＜第一実施形態＞〜＜第三実施形態＞において説明した透光部３は、表示部２における表示を補助する表示補助部材として機能する。従って、既存の表示装置に、表示補助部材としての透光部３を用いても以上説明したような効果が得られる。
【００５４】
また、以上の＜第一実施形態＞〜＜第三実施形態＞において説明した表示装置１の各要素を適宜、組み合わせた表示装置１及び表示補助部材も本発明の範囲に含まれる。
【００５５】
尚、本発明の表示装置及び表示補助部材は、上記した実施の形態に限定されるものではなく、本発明の要旨を逸脱しない範囲内において種々変更を加え得ることは勿論である。
【符号の説明】
【００５６】
１  表示装置
２  表示部
３  透光部
５  制御部
２０  表示パネル部
２０Ａ  表示本体部
２１  カバー部
２２  表示領域
２３  非表示領域
２３Ａ  非表示領域の表面
２３Ｂ  非表示領域の境界
２４  表示面
２４Ａ  表示面の外縁
２５  表示側平面部
２６  表示側傾斜面部
２６Ａ  一部領域
２６Ｂ  残領域
２６Ｃ  仮想表示側傾斜面部
２７  反対面
２８  隙間領域
２９  重なり合い領域
４０  連続部
４０Ａ  端縁
４０Ｂ  連続面
４１  観察者側面
４１Ａ  観察者側面の一部
４２  反観察者側面
４２Ａ  反観察者側面の一部
４２Ｂ  仮想反観察者側面
４４  連結部
５０  反転部
１００  観察者
４１０,４２０  平行面部
４１１，４２１  傾斜面部
Ａ  表示パネル配列方向
Ｂ  表示パネル厚み方向
Ｃ  継ぎ目延在方向
Ｈ  表示面垂直方向
【要約】
【課題】隣接する表示パネルの継ぎ目における隙間領域を活用して、継ぎ目部分を目立たなくすることができる表示装置を提供する。
【解決手段】本発明の表示装置は、表示面の外縁の近傍に表示側傾斜面部を有する二つの表示パネル部を有し、隣接する二つの前記表示パネル部の継ぎ目において互いの前記表示側傾斜面部が対向して、互いの前記表示側傾斜面部の間に隙間領域が形成されるよう、二つの前記表示パネル部を並列に配置した表示部と、透光性を有する材料により、前記隙間領域において前記表示側傾斜面部を起点として隣接する前記表示パネル部に向かって凸となるように構成される少なくとも一つの透光部と、を備え、前記透光部は、前記隙間領域において、隣接する前記表示パネル部が並ぶ配列方向に進むに従って前記表示パネル部の厚み方向の一方側から他方側に向かうように傾斜する透光側傾斜面を有する。
【選択図】  図２【図１】
0006742550.tif 000002
【図２】
0006742550.tif 000003
【図３】
0006742550.tif 000004
【図４】
0006742550.tif 000005
【図５】
0006742550.tif 000006
【図６】
0006742550.tif 000007
【図７】
0006742550.tif 000008
【図８】
0006742550.tif 000009
【図９】
0006742550.tif 000010